(57)【要約】【課題】  マスクの紐を適度な長さに簡単に調整することができ、しかも、紐が切れやすくなるのを防ぐとともに、手袋をしているような場合でも取り扱いやすいマスクの紐長さ調整部材を提供する。【解決手段】  マスクの一方の紐５ａに装着される第１の弾性薄板材１００は長板形状とされ、その長手方向の複数位置に、幅狭部１０３と突出片部１０４とからなる形状部分１０５が形成されている。また、他方の紐５ｂに装着される第２の弾性薄板材２００には、第１の長穴２０３と第２の長穴２０４とが側部同士でつながるように形成されている。そして、第１の弾性薄板材１００の突出片部１０４を第２の弾性薄板材２００の第１の長穴２０３に通過させて、幅狭部１０３を第２の長穴２０４に入れ込むことにより、両弾性薄板材１００、２００を着脱可能に互いに掛止させることができる。【選択図】      図２
2005103045.tif 000002
【特許請求の範囲】
【請求項１】
マスクの一方の紐に取り外し可能に装着される第１の弾性薄板材と、
マスクの他方の紐に取り外し可能に装着される第２の弾性薄板材とからなり、
上記第１の弾性薄板材と上記第２の弾性薄板材とを複数の掛止位置で着脱可能に互いに掛止させることができることを特徴とするマスクの紐長さ調整部材。
【請求項２】
上記第１の弾性薄板材及び上記第２の弾性薄板材の少なくともいずれかにおいて、マスクの紐を挿通するための一対の紐通し穴と、これら一対の紐通し穴をつなぐ切込とが形成されていることを特徴とする請求項１に記載のマスクの紐長さ調整部材。
【請求項３】
上記第１の弾性薄板材は長板形状とされ、その長手方向の複数位置に、幅狭部と上記幅狭部の先端で両側方向に突出する突出片部とからなる形状部分が形成されており、
上記第２の弾性薄板材には、上記第１の弾性薄板材の突出片部を通過させる第１の長穴と、上記第１の弾性薄板材の幅狭部と同程度の幅を有する第２の長穴とが側部同士でつながるように形成されており、
上記第１の弾性薄板材の突出片部を上記第２の弾性薄板材の第１の長穴に通過させて、上記第１の弾性薄板材の幅狭部を上記第２の弾性薄板材の第２の長穴に入れ込むことにより、上記第１の弾性薄板材と上記第２の弾性薄板材とを着脱可能に互いに掛止させる構成にしたことを特徴とする請求項１又は２に記載のマスクの紐長さ調整部材。
【請求項４】
上記第１の弾性薄板材には、幅狭部と上記幅狭部の先端で両側方向に突出する突出片部とからなる形状部分が形成されており、
上記第２の弾性薄板材は長板形状とされ、その長手方向の複数位置に、上記第１の弾性薄板材の突出片部を通過させる第１の長穴と、上記第１の弾性薄板材の幅狭部と同程度の幅を有する第２の長穴とが側部同士でつながるように形成されており、
上記第１の弾性薄板材の突出片部を上記第２の弾性薄板材の第１の長穴に通過させて、上記第１の弾性薄板材の幅狭部を上記第２の弾性薄板材の第２の長穴に入れ込むことにより、上記第１の弾性薄板材と上記第２の弾性薄板材とを着脱可能に互いに掛止させる構成にしたことを特徴とする請求項１又は２に記載のマスクの紐長さ調整部材。
【請求項５】
上記第１の弾性薄板材は長板形状とされ、その長手方向の複数位置に切込が形成されており、
上記第２の弾性薄板材には、上記第１の弾性薄板材のうち上記切込が形成された挿入部を通過させる長穴が形成されており、
上記第１の弾性薄板材の挿入部を上記第２の弾性薄板材の長穴に通過させて、上記第１の弾性薄板材の切込部分を起こして上記第２の弾性薄板材の長穴の縁に掛け止めることにより、上記第１の弾性薄板材と上記第２の弾性薄板材とを着脱可能に互いに掛止させる構成にしたことを特徴とする請求項１又は２に記載のマスクの紐長さ調整部材。
【請求項６】
上記第１の弾性薄板材には切込が形成されており、
上記第２の弾性薄板材は長板形状とされ、その長手方向の複数位置に、上記第１の弾性薄板材のうち上記切込が形成された挿入部を通過させる長穴が形成されており、
上記第１の弾性薄板材の挿入部を上記第２の弾性薄板材の長穴に通過させて、上記第１の弾性薄板材の切込部分を起こして上記第２の弾性薄板材の長穴の縁に掛け止めることにより、上記第１の弾性薄板材と上記第２の弾性薄板材とを着脱可能に互いに掛止させる構成にしたことを特徴とする請求項１又は２に記載のマスクの紐長さ調整部材。
【請求項７】
上記第１の弾性薄板材は長板形状とされ、その長手方向の複数位置に穴が形成されており、
上記第２の弾性薄板材には、上記第１の弾性薄板材のうち上記穴が形成された挿入部を通過させるとともに、上記穴に入れ込むことのできる挿入片部を有する長穴が形成されており、
上記第１の弾性薄板材の挿入部を上記第２の弾性薄板材の長穴に通過させて、上記第１の弾性薄板材の穴に上記第２の弾性薄板材の長穴が有する挿入片部を入れ込むことにより、上記第１の弾性薄板材と上記第２の弾性薄板材とを着脱可能に互いに掛止させる構成にしたことを特徴とする請求項１又は２に記載のマスクの紐長さ調整部材。
【請求項８】
上記第１の弾性薄板材には穴が形成されており、
上記第２の弾性薄板材は長板形状とされ、その長手方向の複数位置に、上記第１の弾性薄板材のうち上記穴が形成された挿入部を通過させるとともに、上記穴に入れ込むことのできる挿入片部を有する長穴が形成されており、
上記第１の弾性薄板材の挿入部を上記第２の弾性薄板材の長穴に通過させて、上記第１の弾性薄板材の穴に上記第２の弾性薄板材の長穴が有する挿入片部を入れ込むことにより、上記第１の弾性薄板材と上記第２の弾性薄板材とを着脱可能に互いに掛止させる構成にしたことを特徴とする請求項１又は２に記載のマスクの紐長さ調整部材。
【発明の詳細な説明】
【技術分野】
【０００１】
本発明は、マスクの紐長さ調整部材に係り、特には顔面に密着させる必要のある防塵マスク等に用いて好適なマスクの紐長さ調整部材に関する。
【背景技術】
【０００２】
例えば特許文献１には、防塵マスク等のマスクの締め紐を適度な長さに簡単に調整することのできる調整部材が開示されている。特許文献１に開示された調整部材では、図１４に示すように、横長の弾性薄板片１の後端部に一対の通孔２が形成され、各通孔から弾性薄板片１の側辺に到る切込み３が形成されている。また、弾性薄板片１には、向かい合わせて突設するとともに、弾性薄板片の後端部側に傾けた複数段の引っ掛け部４が形成されている。
【０００３】
このようにした調整部材を使用するときは、切込み３を指でずらして広げ、締め紐５ａをその広げた切込み３から通孔２に入れることにより、調整部材をマスクの一方の締め紐５ａに取り付けることができる。そして、後頭部において、他方の締め紐５ｂを調整部材の引っ掛け部４に引っ掛けるが、この場合に、締め紐５ｂと引っ掛け部４との引っ掛け位置を段階的に変更することにより、使用者に応じた適度な長さに簡単に調整することができる。
【０００４】
【特許文献１】特許第３４１３５８５号公報
【発明の開示】
【発明が解決しようとする課題】
【０００５】
しかしながら、上記従来例の調整部材を使用するときは、マスクの他方の締め紐５ｂを引っ張った状態で、その締め紐５ｂを調整部材の引っ掛け部４に直接引っ掛けることになる。このように張力のかかった状態にある締め紐５ｂを、締め紐５ｂに比べて格段に硬質で、しかも薄板形状の引っ掛け部４に直接引っ掛けると、締め紐５ｂが傷つくおそれがあり、繰り返して掛け止めしているうちに切れてしまうことがある。
【０００６】
また、防塵マスクを着用する場合、作業用の手袋をはめていることが多いと考えられるが、手袋をはめた指で不定形の締め紐５ｂを持って、それを調整部材の引っ掛け部４に引っ掛けるという取り扱いは特に慣れないうちは非常に難しく、なかなか締め紐５ｂを引っ掛けることができない。特に、特許文献１に開示された調整部材では、向かい合わせて突設された引っ掛け部４の両方に締め紐５ｂを引っ掛ける必要があるが、その片側のみに締め紐５ｂが引っ掛かった状態となる可能性があり、それに気付かずにそのままとなってしまうおそれもある。
【０００７】
本発明は上記の点に鑑みてなされたものであり、マスクの紐を適度な長さに簡単に調整することができ、しかも、紐が切れやすくなるのを防ぐとともに、手袋をしているような場合でも取り扱いに優れたマスクの紐長さ調整部材を提供することを目的とする。
【課題を解決するための手段】
【０００８】
本発明のマスクの紐長さ調整部材は、マスクの一方の紐に取り外し可能に装着される第１の弾性薄板材と、マスクの他方の紐に取り外し可能に装着される第２の弾性薄板材とからなり、上記第１の弾性薄板材と上記第２の弾性薄板材とを複数の掛止位置で着脱可能に互いに掛止させることができる点に特徴を有する。
また、本発明のマスクの紐長さ調整部材の他の特徴とするところは、上記第１の弾性薄板材及び上記第２の弾性薄板材の少なくともいずれかにおいて、マスクの紐を挿通するための一対の紐通し穴と、これら一対の紐通し穴をつなぐ切込とが形成されている点にある。
また、本発明のマスクの紐長さ調整部材の他の特徴とするところは、上記第１の弾性薄板材は長板形状とされ、その長手方向の複数位置に、幅狭部と上記幅狭部の先端で両側方向に突出する突出片部とからなる形状部分が形成されており、上記第２の弾性薄板材には、上記第１の弾性薄板材の突出片部を通過させる第１の長穴と、上記第１の弾性薄板材の幅狭部と同程度の幅を有する第２の長穴とが側部同士でつながるように形成されており、上記第１の弾性薄板材の突出片部を上記第２の弾性薄板材の第１の長穴に通過させて、上記第１の弾性薄板材の幅狭部を上記第２の弾性薄板材の第２の長穴に入れ込むことにより、上記第１の弾性薄板材と上記第２の弾性薄板材とを着脱可能に互いに掛止させる構成にした点、或いは、上記第１の弾性薄板材には、幅狭部と上記幅狭部の先端で両側方向に突出する突出片部とからなる形状部分が形成されており、上記第２の弾性薄板材は長板形状とされ、その長手方向の複数位置に、上記第１の弾性薄板材の突出片部を通過させる第１の長穴と、上記第１の弾性薄板材の幅狭部と同程度の幅を有する第２の長穴とが側部同士でつながるように形成されており、上記第１の弾性薄板材の突出片部を上記第２の弾性薄板材の第１の長穴に通過させて、上記第１の弾性薄板材の幅狭部を上記第２の弾性薄板材の第２の長穴に入れ込むことにより、上記第１の弾性薄板材と上記第２の弾性薄板材とを着脱可能に互いに掛止させる構成にした点にある。
また、本発明のマスクの紐長さ調整部材の他の特徴とするところは、上記第１の弾性薄板材は長板形状とされ、その長手方向の複数位置に切込が形成されており、上記第２の弾性薄板材には、上記第１の弾性薄板材のうち上記切込が形成された挿入部を通過させる長穴が形成されており、上記第１の弾性薄板材の挿入部を上記第２の弾性薄板材の長穴に通過させて、上記第１の弾性薄板材の切込部分を起こして上記第２の弾性薄板材の長穴の縁に掛け止めることにより、上記第１の弾性薄板材と上記第２の弾性薄板材とを着脱可能に互いに掛止させる構成にした点、或いは、上記第１の弾性薄板材には切込が形成されており、上記第２の弾性薄板材は長板形状とされ、その長手方向の複数位置に、上記第１の弾性薄板材のうち上記切込が形成された挿入部を通過させる長穴が形成されており、上記第１の弾性薄板材の挿入部を上記第２の弾性薄板材の長穴に通過させて、上記第１の弾性薄板材の切込部分を起こして上記第２の弾性薄板材の長穴の縁に掛け止めることにより、上記第１の弾性薄板材と上記第２の弾性薄板材とを着脱可能に互いに掛止させる構成にした点にある。
また、本発明のマスクの紐長さ調整部材の他の特徴とするところは、上記第１の弾性薄板材は長板形状とされ、その長手方向の複数位置に穴が形成されており、上記第２の弾性薄板材には、上記第１の弾性薄板材のうち上記穴が形成された挿入部を通過させるとともに、上記穴に入れ込むことのできる挿入片部を有する長穴が形成されており、上記第１の弾性薄板材の挿入部を上記第２の弾性薄板材の長穴に通過させて、上記第１の弾性薄板材の穴に上記第２の弾性薄板材の長穴が有する挿入片部を入れ込むことにより、上記第１の弾性薄板材と上記第２の弾性薄板材とを着脱可能に互いに掛止させる構成にした点、或いは、上記第１の弾性薄板材には穴が形成されており、上記第２の弾性薄板材は長板形状とされ、その長手方向の複数位置に、上記第１の弾性薄板材のうち上記穴が形成された挿入部を通過させるとともに、上記穴に入れ込むことのできる挿入片部を有する長穴が形成されており、上記第１の弾性薄板材の挿入部を上記第２の弾性薄板材の長穴に通過させて、上記第１の弾性薄板材の穴に上記第２の弾性薄板材の長穴が有する挿入片部を入れ込むことにより、上記第１の弾性薄板材と上記第２の弾性薄板材とを着脱可能に互いに掛止させる構成にした点にある。
【発明の効果】
【０００９】
本発明によれば、マスクの一方の紐に取り外し可能に装着される第１の弾性薄板材と、他方の紐に取り外し可能に装着される第２の弾性薄板材とを複数の掛止位置で着脱可能に互いに掛止させることができるので、マスクの紐を適度な長さに簡単に調整することができ、しかも、紐が切れやすくなるのを防ぐとともに、手袋をしているような場合でも取り扱いやすい。
【発明を実施するための最良の形態】
【００１０】
以下、図面に基づいて、本発明の実施形態について説明する。
（第１実施形態）
図１、２を参照して、本発明を適用した第１実施形態のマスクの紐長さ調整部材について説明する。図１に示すように、マスクの紐長さ調整部材は、樹脂製の第１の弾性薄板材１００と、同じく樹脂製の第２の弾性薄板材２００との２つの板材により構成される。なお、以下の説明では、図示される面を正面、その裏側を裏面と称する。
【００１１】
第１の弾性薄板材１００は長板形状とされ、その後端（図１中左端）には、マスクの紐を挿通するための一対の紐通し穴１０１と、これら一対の紐通し穴１０１をつなぐ切込１０２とが形成されている。紐通し穴１０１の形状は紐の形状に合わせればよく、例えば紐の断面が円形状であれば円形、平紐であれば長方形とすればよい。また、切込１０２は、一対の紐通し穴１０１を最短距離でつなぐのではなく、横に広がった略Ｕ字型をなすようにつないでいる。
【００１２】
この第１の弾性薄板材１００では、切込１０２の内側を裏面側に押し下げ、そこに形成される隙間から切込１０２の内側上を滑らすようにマスクの紐５ａを差し入れて、その紐を一対の紐通し穴１０１の位置まで押し入れることにより、図２に示すように、第１の弾性薄板材１００をマスクの紐５ａに取り外し可能に装着することができる。この装着作業に際して、上記従来例では一対の通孔２それぞれに紐を入れる作業を行わなければならないのに対して、本実施形態では一度の作業で一対の紐通し穴１０１に紐を入れることができる。
【００１３】
また、第１の弾性薄板材１００には、その長手方向の複数位置、図示例では３ヶ所に、幅狭部１０３と、幅狭部１０３の先端で両側方向に突出する突出片部１０４とからなる形状部分１０５が形成されている。長手方向の各位置において、両側方向に突出する突出片部１０４は第１の弾性薄板材１００の中心線を挟んで線対称とされ、後端側にやや傾斜している。
【００１４】
第２の弾性薄板材２００にも、上記第１の弾性薄板材と同様に、マスクの紐を挿通するための一対の紐通し穴２０１と、これら一対の紐通し穴２０１をつなぐ切込２０２とが形成されており、図２に示すように、マスクの紐５ｂに取り外し可能に装着することができる。
【００１５】
また、第２の弾性薄板材２００には、第１の弾性薄板材１００の突出片部１０４と同程度の幅を有する第１の長穴２０３と、第１の弾性薄板材１００の幅狭部１０３と同程度の幅を有する第２の長穴２０４とが側部同士でつながるように形成されている。第２の長穴２０４は、第１の長穴２０３の側部のうち紐通し穴２０１及び切込２０２と逆側に配置され、第１の長穴２０３の側部中央でつながっている。
【００１６】
このようにした第１実施形態の調整部材を使用する場合、図２に示すように、マスクの一方の紐５ａに第１の弾性薄板材１００を装着し、他方の紐５ｂに第２の弾性薄板材２００を装着しておく。
【００１７】
マスクを着用するとき、着用者はマスクを口に当てて、マスクの外縁部に取り付けられた紐５ａ、５ｂを後頭部にまわす。この状態で、一方の紐５ａに装着された第１の弾性薄板材１００の先端の突出片部１０４を、他方に紐５ｂに装着された第２の弾性薄板材２００の裏面側から第１の長穴２０３に挿入する。このとき、第１の弾性薄板材１００を第２の弾性薄板材２００に対して垂直（或いは垂直に近い角度）にすれば、第１の弾性薄板材１００を第１の長穴２０３に挿入しやすくなる。
【００１８】
そして、所望の突出片部１０４が第１の長穴２０３を通過した状態で両弾性薄板材１００、２００を持つ手の力を緩めれば、紐５ａ、５ｂの張力により第１の弾性薄板材１００と第２の弾性薄板材２００とが互いに引っ張り合うので、幅狭部１０３が第２の長穴２０４に入り込み、突出片部１０４が第２の長穴２０４の両サイドに引っ掛かって、両弾性薄板材１００、２００を互いに掛止させることができる。
【００１９】
マスクを外すときは、第１の弾性薄板材１００及び第２の弾性薄板材２００をそれぞれ持ち、第１の弾性薄板材１００を第２の長穴２０４から第１の長穴２０３に移動させるとともに、第１の弾性薄板材１００を第２の弾性薄板材２００に対して垂直（或いは垂直に近い角度）にして第１の長穴２０３から引き抜けばよい。
【００２０】
以上述べた実施形態によれば、張力のかかった状態にある紐を硬質でしかも薄板形状の部分に直接引っ掛けるのではなく、第１の弾性薄板材１００と第２の弾性薄板材２００とを互いに掛止させるようにしたので、紐５ａ、５ｂが切れやすくなるのを防ぐことができる。
【００２１】
また、手袋をはめている場合でも、手袋をはめた指で、不定形な紐５ａ、５ｂではなく、第１の弾性薄板材１００及び第２の弾性薄板材２００を持てばよいので、取り扱いやすく、簡単に両弾性薄板材１００、２００を互いに掛止させることができる。また、上記従来例のように片側の引っ掛け部４のみに締め紐５ｂを引っ掛けてしまうという不都合も生じない。なお、弾性薄板材１００及び弾性薄板材２００の材料は前述のように樹脂製であることが加工性等の点で有利であるが、樹脂は掛止・引き抜き時に手袋をはめた手等で摘むように持った際に折れ曲がりにくい強度を有すると共に、掛止時には後頭部の形状に沿って緩やかに撓むような特性を有しているものを選定することが望ましい。樹脂としては、ＡＢＳ、ポリプロピレン、ＰＥＴ等が挙げられるが、これに限定されるものではない。また、発明者の実験によれば、両弾性薄板材１００、２００は板厚０．５〜２．０ｍｍの範囲とすることが本発明に記載されている効果を発揮させるためには適当であった。
【００２２】
なお、本実施形態においては、図３に示すような第２の弾性薄板材２００を用いてもよい。第２の弾性薄板材２００には、半円形の穴２０５が形成されており、その穴２０５から外辺に至る切込２０６が形成されている。穴２０５の寸法は、「突出片部１０４の両側方向全幅＞穴２０５の半径＞幅狭部１０３の幅」となっている。この場合、切込２０６を広げて第１の弾性薄板材１００を押し入れ、所望の突出片部１０４を穴２０５から第２の弾性薄板材２００の表面側に出すようにすれば、幅狭部１０３が穴２０５に入り込むとともに、切込２０６が元の状態に復帰し、突出片部１０４が穴２０５の両サイドに引っ掛かって、両弾性薄板材１００、２００を互いに掛止させることができる。また、切込２０６を広げずに、弾性薄板材２００の切込２０６を弾性薄板材１００で切るような位置関係で穴２０５に挿入し、その後に９０度回転するようにして掛止することもできて更に簡単になる。
【００２３】
（第２実施形態）
図４〜６を参照して、本発明を適用した第２実施形態のマスクの紐長さ調整部材について説明する。以下では、上記第１実施形態と相違する構成要素について重点的に説明し、同様の構成要素については同一の符号を付し、その詳細な説明は省略する。
【００２４】
図４に示すように、マスクの紐長さ調整部材は、樹脂製の第１の弾性薄板材１００と、同じく樹脂製の第２の弾性薄板材２００との２つの板材により構成される。これら第１の弾性薄板材１００及び第２の弾性薄板材２００には、マスクの紐を挿通するための一対の紐通し穴１０１、２０１と、これら一対の紐通し穴１０１、２０１をつなぐ切込１０２、２０２とが形成されており、図５に示すように、マスクの紐５ａ、５ｂにそれぞれ取り外し可能に装着することができる。
【００２５】
第１の弾性薄板材１００は長板形状とされ、その長手方向の複数位置、図示例では４ヶ所に切込１０６が形成されている。各切込１０６は半円をなすように形成され、その円弧が後端側に向いている。なお、図示例では、各切込１０６が半円をなすが、それ以外の形状、例えば長方形や台形であってもかまわない。
【００２６】
第２の弾性薄板材２００には、第１の弾性薄板材１００のうち切込１０６が形成された挿入部１０７と同程度の幅を有する長穴２０７が形成されている。
【００２７】
このようにした第２実施形態では、マスクを着用するとき、着用者はマスクを口に当てて、マスクの外縁部に取り付けられた紐５ａ、５ｂを後頭部にまわす。この状態で、一方の紐５ａに装着された第１の弾性薄板材１００の挿入部１０７を、他方に紐５ｂに装着された第２の弾性薄板材２００の裏面側から長穴２０７に挿入する。このとき、第１の弾性薄板材１００を第２の弾性薄板材２００に対して垂直（或いは垂直に近い角度）にすれば、第１の弾性薄板材１００を長穴２０７に挿入しやすくなる。
【００２８】
そして、所望の切込１０６部分が長穴２０７を通過した状態で、その切込１０６部分を表面側に起こす。この状態では、紐５ａ、５ｂの張力により第１の弾性薄板材１００と第２の弾性薄板材２００とが互いに引っ張り合っており、起こされた切込１０６部分を長穴２０７の縁に掛け止めることにより、両弾性薄板材１００、２００を互いに掛止させることができる。この場合に、第１の弾性薄板材１００の各切込１０６部分を表面側に起こしておくように予め癖をつけておけば、切込１０６部分が長穴２０７の縁に掛け止めやすくなる。
【００２９】
マスクを外すときは、第１の弾性薄板材１００及び第２の弾性薄板材２００をそれぞれ持ち、長穴２０７の縁に掛け止められている切込１０６部分を外すとともに、第１の弾性薄板材１００を第２の弾性薄板材２００に対して垂直（或いは垂直に近い角度）にして長穴２０７から引き抜けばよい。この際に、長穴の短手方向の寸法は、起こされた切込１０６部分寸法と弾性薄板材１００の板厚の合計と略同じか、少し幅狭になるようにすると引き抜きがしやすくなる。
【００３０】
以上述べた実施形態でも、上記第１実施形態と同様に、第１の弾性薄板材１００と第２の弾性薄板材２００とを互いに掛止させるようにしたので、紐５ａ、５ｂが切れやすくなるのを防ぐことができ、また、手袋をはめている場合でも、取り扱いやすく、簡単に両弾性薄板材１００、２００を互いに掛止させることができる。しかも、上記従来例や第１実施形態のように凹凸（引っ掛け部４や突出片部１０４）の多い形状では頭皮に当たって痛いという不都合が生じうるが、図４に示すように凹凸の少ない板形状となっているので、そういった不都合もなくなる。
【００３１】
（第３実施形態）
図６〜９を参照して、本発明を適用した第３実施形態のマスクの紐長さ調整部材について説明する。以下では、上記第１実施形態と相違する構成要素について重点的に説明し、同様の構成要素については同一の符号を付し、その詳細な説明は省略する。
【００３２】
図６に示すように、マスクの紐長さ調整部材は、樹脂製の第１の弾性薄板材１００と、同じく樹脂製の第２の弾性薄板材２００との２つの板材により構成される。これら第１の弾性薄板材１００及び第２の弾性薄板材２００には、マスクの紐を挿通するための一対の紐通し穴１０１、２０１と、これら一対の紐通し穴１０１、２０１をつなぐ切込１０２、２０２とが形成されており、図７に示すように、マスクの紐にそれぞれ取り外し可能に装着することができる。
【００３３】
第１の弾性薄板材１００は長板形状とされ、その長手方向の複数位置、図示例では４ヶ所に穴１０８が形成されている。
【００３４】
第２の弾性薄板材２００には、第１の弾性薄板材１００のうち穴１０８が形成された挿入部１０９と同程度の幅を有するとともに、紐通し穴１０１及び切込１０２と逆側に挿入片部２０８を有する長穴２０９が形成されている。
【００３５】
このようにした第３実施形態では、マスクを着用するとき、着用者はマスクを口に当てて、マスクの外縁部に取り付けられた紐５ａ、５ｂを後頭部にまわす。この状態で、一方の紐に装着された第１の弾性薄板材１００の挿入部１０９を、他方に紐に装着された第２の弾性薄板材２００の裏面側から長穴２０９に挿入する。このとき、第１の弾性薄板材１００を第２の弾性薄板材２００に対して垂直（或いは垂直に近い角度）にすれば、第１の弾性薄板材１００を長穴２０９に挿入しやすくなる。
【００３６】
そして、所望の穴１０８が長穴２０９を通過した状態とする。この状態では、紐５ａ、５ｂの張力により第１の弾性薄板材と第２の弾性薄板材とが互いに引っ張り合っており、穴１０８に長穴２０９の挿入片部２０８を入れ込むことにより、両弾性薄板材１００、２００を互いに掛止させることができる。
【００３７】
マスクを外すときは、第１の弾性薄板材１００及び第２の弾性薄板材２００をそれぞれ持ち、穴１０８から挿入片部２０８を抜くとともに、第１の弾性薄板材１００を第２の弾性薄板材２００に対して垂直（或いは垂直に近い角度）にして長穴２０９から引き抜けばよい。若しくは、弾性薄板材２００を指で摘むように持ち、穴１０８に挿入された挿入片部２０８を支点にして回転させ図示された弾性薄板材２００の裏面と弾性薄板材１００の裏面が向き合うような状態にすると容易に弾性薄板材１００を同２００から引き抜くことができる。この際に、本発明では、一対の紐通し穴１０１、１０２をつなぐ切込１０２を図のような形状で設けるようにしているので、張力がかかった状態で前述のように弾性薄板材２００を回転させてもマスクの紐が外れにくく、保持し続けることができる。
【００３８】
以上述べた実施形態でも、上記第１実施形態と同様に、第１の弾性薄板材１００と第２の弾性薄板材２００とを互いに掛止させるようにしたので、紐が切れやすくなるのを防ぐことができ、また、手袋をはめている場合でも、取り扱いやすく、簡単に両弾性薄板材１００、２００を互いに掛止させることができる。しかも、上記従来例や第１実施形態のように凹凸（引っ掛け部４や突出片部１０４）の多い形状では頭皮に当たって痛いという不都合が生じうるが、図７に示すように凹凸の少ない板形状となっているので、そういった不都合もなくなる。
【００３９】
なお、図６、７では第１の弾性薄板材１００の穴１０８を略長方形とした例を説明したが、それ以外の形状でもよく、例えば図８に示すように、穴１０８を円形としてもかまわない。この場合、挿入片部２０８を半円形状としてもよい。
【００４０】
また、図９に示すように、第２の弾性薄板材２００に、挿入片部２０８の中央を通るように長穴２０９から外辺に至る切込２１０を形成するようにしてもよい。この場合、切込２１０を広げて第１の弾性薄板材１００の挿入部１０９を長穴２０９に挿入することができる。この場合に、掛止しやすさを向上させたいのであれば、長穴２０９を挿入部１０９の幅より幅広に設けておくとよい。このようにすることで、切込２１０を広げずに、弾性薄板材２００の切込２１０を弾性薄板材１００で切るような位置関係で長穴２０６に挿入し、その後に９０度回転するようにして掛止できるようになり、更に簡単になる。また、第１の弾性薄板材１００と第２の弾性薄板材２００との掛止状態において、その掛止箇所に異常な力が作用したとき、例えば作業中にマスクの紐５ａ、５ｂがなんらかに引っ掛かったようなときに、切込２１０が広がって第１の弾性薄板材１００が強引に引き抜かれるので安全性を確保することができる。なお、長穴２０９は、図３に示したのと同様に半円形とされていてもよい。
【００４１】
（第４実施形態）
図１０〜１３に示す第４実施形態は、上記第１〜３の実施形態の調整部材を変更した例である。以下では、上記第１〜３の実施形態と同一の構成要素には同一の符号を付し、その詳細な説明は省略する。
【００４２】
図１０、１１に示すのは、上記第１実施形態の調整部材を変更した例であり、図１に示すのとは逆に、第１の弾性薄板材１００には、幅狭部１０３と、幅狭部１０３の先端で両側方向に突出する突出片部１０４とからなる形状部分１０５が一つだけ形成されている。そして、第２の弾性薄板材２００は長板形状とされ、その長手方向の複数位置に第１の長穴２０３及び第２の長穴２０４が形成されている。
【００４３】
また、図１２、１３に示すのは、上記第２実施形態の調整部材を変更した例であり、図４に示すのとは逆に、第１の弾性薄板材１００に切込１０６が一つだけ形成されている。そして、第２の弾性薄板材２００は長板形状とされ、その長手方向の複数位置に長穴２０７が形成されている。
【００４４】
また、図示しないが、上記第３実施形態の調整部材を変更して、図７に示すのとは逆に、第１の弾性薄板材１００に穴１０８が一つだけ形成されるようにしてもよい。そして、第２の弾性薄板材２００は長板形状とされ、その長手方向の複数位置に挿入片部２０８を有する長穴２０９が形成されるようにしてもよい。
【００４５】
以上、本発明を種々の実施形態とともに説明したが、本発明はこれらの実施形態にのみ限定されるものではなく、本発明の範囲内で変更等が可能である。
【図面の簡単な説明】
【００４６】
【図１】第１実施形態の調整部材を示す図である。
【図２】第１実施形態の調整部材の使用状態を示す図である。
【図３】第２の弾性薄板材の他の例を示す図である。
【図４】第２実施形態の調整部材を示す図である。
【図５】第２実施形態の調整部材の使用状態を示す図である。
【図６】第３実施形態の調整部材を示す図である。
【図７】第３実施形態の調整部材の使用状態を示す図である。
【図８】第３実施形態の他の調整部材を示す図である。
【図９】第３実施形態の他の調整部材を示す図である。
【図１０】第４実施形態の調整部材を示す図である。
【図１１】第４実施形態の調整部材の使用状態を示す図である。
【図１２】第４実施形態の他の調整部材を示す図である。
【図１３】第４実施形態の他の調整部材の使用状態を示す図である。
【図１４】従来例の調整部材を説明するための図である。
【符号の説明】
【００４７】
１００      第１の弾性薄板材
１０１      紐通し穴
１０２      切込
１０３      幅狭部
１０４      突出片部
１０５      形状部分
１０６      切込
１０７      挿入部
１０８      穴
１０９      挿入部
２００      第２の弾性薄板材
２０１      紐通し穴
２０２      切込
２０３      第１の長穴
２０４      第２の長穴
２０５      穴
２０６      切込
２０７      長穴
２０８      挿入片部
２０９      長穴
２１０      切込
【図１】
2005103045.tif 000003
【図２】
2005103045.tif 000004
【図３】
2005103045.tif 000005
【図４】
2005103045.tif 000006
【図５】
2005103045.tif 000007
【図６】
2005103045.tif 000008
【図７】
2005103045.tif 000009
【図８】
2005103045.tif 000010
【図９】
2005103045.tif 000011
【図１０】
2005103045.tif 000012
【図１１】
2005103045.tif 000013
【図１２】
2005103045.tif 000014
【図１３】
2005103045.tif 000015
【図１４】
2005103045.tif 000016